(57)【特許請求の範囲】
【請求項１】
取付対象に取り付けられる器具本体と、
前記器具本体に取り付けられる透光性カバーと、
前記器具本体と前記透光性カバーとの間に配置されるＬＥＤ照明ユニットと、
前記ＬＥＤ照明ユニットと電気的に接続されるセンサユニットと、を備える照明装置であって、
前記センサユニットは、
センサと、
前記センサを覆うセンサカバーと、
前記センサおよび前記センサカバーが前記器具本体に対して回動可能な回動機構と、
表示用ＬＥＤ素子と、
前記表示用ＬＥＤ素子の光を導入する光導入部および前記センサユニット外部に光を導出する光導出部を有する導光部材と、を有し、
前記センサカバーが、その外方向に延設される複数の凸部を有する、照明装置。
【請求項２】
前記光導入部から前記光導出部までの光通路部を有する請求項１に記載の照明装置。
【請求項３】
前記導光部材は、中空筒状の本体と、
前記本体の開口一方端から中空中心の径方向へ延びる環状縁と、
前記環状縁が設けられた開口一方端と異なる開口他方端から外周に延設される一対の取付片と、を有する、請求項１または２に記載の照明装置。
【請求項４】
前記一対の取付片は、貫通穴を有する、請求項３に記載の照明装置。
【請求項５】
前記導光部材は、透明である、請求項１ないし４のいずれかに記載の照明装置。
【発明の詳細な説明】
【技術分野】
【０００１】
本発明は、照明装置に関し、例えば、玄関などに設置される照明装置（ポーチ灯など）に関する。
【背景技術】
【０００２】
特許文献１の照明装置は、照明器具本体の底面に人感センサと、人感センサを覆う透光性カバーを備えている。
【０００３】
特許文献２の照明装置は、３６０°全方向検知センサと、このセンサを内蔵した３６０°半球ドーム型のフルネルレンズと、このフルネルレンズの外側に、複数に区画されて分離除去可能なマスキングパーツを嵌め込む構造を有している。
【先行技術文献】
【特許文献】
【０００４】
【特許文献１】特開２００４−３５５８３４号
【特許文献２】特許第４９９４２１５号
【発明の概要】
【発明が解決しようとする課題】
【０００５】
しかしながら、上記特許文献１の人感センサは固定されているため、その検知エリアは器具本体の取付位置によって決定される。
【０００６】
一方、近年、照明装置を取り付けた後において、センサの検知エリアを自由に変更したいとの要望がある。例えば、玄関のレイアウトによっては、人の進入経路とセンサ検知エリアが一致しておらず、死角が生じることもあり、取り付け後に検知エリアを調整したい場合がある。また、照明装置を取り付けた後で変化した人の進入経路に対応して調整したい場合もある。
【０００７】
上記の要望に対し、特許文献２では、検知エリアに対応するマスキングパーツの一部を分離除去することで検知エリアを設定し、さらに、右回り９０°、左回り９０°の水平回転可能な検知センサにより検知エリアが調整可能である。しかしながら、フルネルレンズが半球ドーム型であるため、フルネルレンズを指でつまんで回転角度を微調整することは簡単ではない。また、マスキングパーツを再利用する場合に、その保管や使用したい時に探す手間もあり煩雑である。
【０００８】
本発明は、上記の実情に鑑みてなされたものであり、センサの検知エリアを簡単な機構で可変できる照明装置を提供することを目的とする。
【課題を解決するための手段】
【０００９】
本発明の照明装置は、
取付対象に取り付けられる器具本体と、
前記器具本体に取り付けられる透光性カバーと、
前記器具本体と前記透光性カバーとの間に配置されるＬＥＤ照明ユニットと、
前記ＬＥＤ照明ユニットと電気的に接続されるセンサユニットと、を備える照明装置であって、
前記センサユニットは、
センサと、
前記センサを覆うセンサカバーと、
前記センサおよび前記センサカバーが前記器具本体に対して回動可能な回動機構と、を有し、
前記センサカバーが、その外方向に延設される複数の凸部を有する。
【００１０】
この構成によれば、センサおよびセンサカバーを回動することで、照明装置を取り付けた後でも、センサの検知エリアを簡単に可変にできる。また、複数の凸部は、例えば、センサ検知エリア方向以外の外面に設けられる。この凸部があることで掴みやすくなり、回動操作（手動の回動操作）を簡単に行える。例えば、濡れた手であっても簡単に回動できる。凸部の形状、数、種類は制限されない。
【００１１】
上記発明の一実施形態として、
前記回転機構は、
前記センサユニットの筐体の底面に設けられる環状枠と、
前記センサが取り付けられ、かつ前記環状枠の内周側に少なくとも一部が前記センサユニットに対し回動可能に配置されるセンサ基台と、
前記センサ基台と連動する前記センサカバーを、前記センサユニットに対し回動可能に前記環状枠の外周側に取り付ける取付部材と、を有する。
【００１２】
環状枠に対し、センサ基台とセンサカバーが摺動可能（回動可能）に取り付けられることで、横ぶれすることなくスムーズに回動できる。
【００１３】
上記発明の一実施形態として、前記回動機構は、前記センサおよび前記センサカバーを、正面視で右方向および／または左方向に水平回転可能な構成である。水平回転の角度（パン角）の範囲は、例えば、中心位置を基準に±３０°〜±６０°である。
【００１４】
上記発明の一実施形態として、前記センサが、人感センサを有する。また、上記発明の一実施形態として、前記センサが、照度センサを有する。
【００１５】
上記発明の一実施形態として、前記人感センサの検知中心は、前記ＬＥＤ照明ユニットの光出射方向（水平方向）を基準として３０°〜６０°下方向を向いている（俯角３０°〜６０°である）。照明装置は、例えば、玄関壁に取り付けられる。例えば、玄関壁の高さ１７００ｍｍ〜２６００ｍｍの範囲に取り付けられる場合に、人感センサの検知中心が光射出方向（例えば、水平方向、壁面から垂直方向）を基準にして３０°〜６０°斜め下方向を向いていることが好ましい。人感センサの検知中心と鉛直線とで構成される角度（俯角）θが、例えば３０°〜６０°である。
【００１６】
上記発明の一実施形態として、前記センサカバーの内面は、前記人感センサの検知方向位置に凹部および／または凸部を有する。この構成によれば、センサカバー内面の所定エリアを粗面化（例えば、凹部、凸部形成）することで、人感センサの検知感度を低下させ、検知エリア（例えば、前方遠位方向、前方近位方向、下方向、右方向、左方向など）を調整することができる。
【００１７】
上記発明の一実施形態として、ＬＥＤ素子は、例えばシングルチップの砲弾型と表面実装型、マルチチップの表面実装型が挙げられる。
【００１８】
上記発明の一実施形態として、人感センサとしては、例えば焦電センサ、モーションセンサ、光センサ、温感センサなどが挙げられる。
【００１９】
上記発明の一実施形態として、照度センサとしては、例えばフォトトランジスタを使うタイプ、フォトダイオードを使うタイプ、フォトダイオードにアンプ回路を追加したタイプなどが挙げられる。
【発明の効果】
【００２０】
本発明によれば、センサの検知エリアを簡単な機構で可変できる照明装置を提供できる。
【図面の簡単な説明】
【００２１】
【図１】実施形態１の照明装置の外観斜視図である。
【図２Ａ】図１の正面図である。
【図２Ｂ】図１の左側面図である。
【図２Ｃ】図１の底面図である。
【図２Ｄ】図１の右側断面図である。
【図２Ｅ】ＬＥＤ照明ユニットを器具本体へ取り付けた状態の横断面図である。
【図３Ａ】ＬＥＤ照明ユニットを放熱カバー側から見た斜視図である。
【図３Ｂ】ＬＥＤ照明ユニットの横断面図である。
【図３Ｃ】点灯回路基板の第１面の一例図である。
【図３Ｄ】点灯回路基板の第２面の一例図である。
【図４Ａ】絶縁カバーの外側斜視図である。
【図４Ｂ】絶縁カバーの内側斜視図である。
【図４Ｃ】絶縁カバーの横断面図である。
【図４Ｄ】速結端子の案内部について説明するための図である。
【図４Ｅ】放熱カバーの斜視図である。
【図５Ａ】ＬＥＤカバーを裏面側から見た斜視図である。
【図５Ｂ】ＬＥＤカバーを底面から見た図である。
【図５Ｃ】点灯回路搭載時のＬＥＤカバーの横断面図である。
【図５Ｄ】係合爪の側断面図である。
【図６Ａ】別実施形態の透光性カバーを備えた照明装置の正面図である。
【図６Ｂ】別実施形態の透光性カバーを備えた照明装置の正面および側面図である。
【図７Ａ】センサユニットを器具本体に取り付けた正面図である。
【図７Ｂ】センサユニットを器具本体に取り付けた裏面図である。
【図７Ｃ】センサユニットを器具本体に取り付けた底面図である。
【図７Ｄ】センサユニットを器具本体に取り付けた側断面図である。
【図８Ａ】センサユニットの正面図である。
【図８Ｂ】センサユニットの側面図である。
【図８Ｃ】センサユニットの筐体蓋を除いた正面図である。
【図８Ｄ】センサユニットのセンサ駆動基板の正面図である。
【図９】センサの側面図である。
【図１０Ａ】センサカバーの前正面図である。
【図１０Ｂ】センサカバーの後正面（裏側面）図である。
【図１０Ｃ】センサカバーの底面図である。
【図１１Ａ】導光部材の斜視図である。
【図１１Ｂ】導光部材の平面図である。
【発明を実施するための形態】
【００２２】
（実施形態１）
実施形態１の照明装置は、玄関に設置するポーチ灯１であり、以下において図面を参照しながら説明する。図１はポーチ灯１の外観斜視図であり、図２Ａ〜２Ｄは、それぞれ図１のポーチ灯の正面図、左側面図、底面図、右側断面図である。図２Ｅは、ＬＥＤ照明ユニットを器具本体へ取り付けた状態を示す横断面図を示す。
【００２３】
（ポーチ灯の基本構成）
ポーチ灯１は、取付対象に取り付けられる器具本体１１と、器具本体１１の内部に配置されるＬＥＤ照明ユニット２と、ＬＥＤ照明ユニット２を覆う透光性カバー１２と、ＬＥＤ照明ユニット２と電気的に接続されるセンサユニット５を備える。
【００２４】
器具本体１１は、筒状であり、筒状の一方開口は取付面１１０によって塞がれている（図２Ｄ参照）。取付面１１０の略中央に開口部（不図示）が形成され、この開口部に商業用電源ケーブルが挿通される。取付面１１０の裏面に弾性部材のシート１１１が設けられる。この弾性部材のシート１１１は、取付対象（壁）が破損しないための防護機能（クッション機能）と固定性の向上機能を有する（図２Ｄ参照）。
【００２５】
器具本体１１の他方開口は、防水部材１２２を介し乳白色の透光性カバー１２が取り付けられる。器具本体１１の他方開口の内面に第１凸ネジ１１３を設け、透光性カバー１２の外面に第２凸ネジ１２３が設けられ、これら螺合手段によって、器具本体１１と透光性カバー１２が固定される。本実施形態において、器具本体１１と透光性カバー１２は、アクリル等の熱可塑性樹脂製であるが、器具本体１１をアルミ、その他の金属、陶器などで構成してもよく、透光性カバー１２をガラスなどで構成してもよい。
【００２６】
ＬＥＤ照明ユニット２は、円形のＬＥＤカバー２５を有する。ＬＥＤカバー２５は、左右のカバー外縁から外に向かって延設され、取付穴２５１ａが形成される取付片２５１と、取付穴２５２ａが形成される取付片２５２を有する（図２Ｅ、図３Ａ参照）。器具本体１１は、取付面から透光性カバー１２側に突設される突設部１１５、１１７を有する。突設部１１５、１１７は、それぞれ、雌ネジ構造を有している。図２Ｅに示すように、ＬＥＤカバー２５の取付片２５１、２５２を突設部１１５、１１７の天面に配置し、それぞれの取付穴２５１ａ、２５２ａに固定ネジ（雄ネジ）１１６、１１８で固定することで、ＬＥＤ照明ユニット２を器具本体１１に取り付ける。
【００２７】
図７Ａ〜７Ｄに示す通り、器具本体１１の下部にセンサユニット５が設けられている。本実施形態では、センサユニット５は、センサ５１とセンサ５１を覆うセンサカバー５２と、センサ駆動回路（不図示）を有する。センサ５１とセンサカバー５２は、器具本体１１の下端に露出するように配置され、センサ駆動回路（不図示）は器具本体１１の筒内に配置される。センサ５１は、焦電型の人感センサで、照度センサと共にセンサ基板５１１に搭載されている。人感センサが人を検知した場合、かつ照度センサが閾値以下の照度を検知した場合に、直流電流が各ＬＥＤ素子２１へ供給されて点灯する構成である（図２Ｅ参照）。人感センサの検知中心と鉛直線とで構成される角度θが、例えば３０°〜６０°である（図２Ｄ参照）。
【００２８】
（防水カバー）
器具本体１１から防水カバー１１２が延設されている。防水カバー１１２は、センサ５１およびセンサカバー５２の前側および両側面側をカバーする形状である。本実施形態では、センサカバー５２の先端部５２ａが、防水カバー１１２下端から正面視で露出し、前方および下方斜め方向でのセンサ検知エリアを確保する。防水カバー１１２は、後述する光導出部５５１ｃ、５５２ｃが外部から視認可能な切欠き部位１１２ａ、１１２ｂを有する。
【００２９】
（センサユニットの基本構成）
図７Ａ〜７Ｄはセンサユニット５と器具本体１１に取り付けた正面、裏面、底面、側断面の各図である。図８Ａ〜８Ｄはセンサユニット５の構成を説明するための図である。図９はセンサ５１の側面図である。図１０Ａ〜１０Ｃはセンサカバー５２の前正面、後正面、底面の各図である。図１１Ａ〜１１Ｂは導光部材の斜視図、平面図である。以下図面を参照しながら説明する。
【００３０】
センサユニット５は、筐体５７、筐体蓋５７５、筐体内に配置されるセンサ駆動回路基板５８、センサ５１、センサカバー５２などを有する。
【００３１】
筐体５７は、器具本体１１の裏面１１ｂの雌ネジ（ナット）穴（不図示）に取り付けられる取付片５７１、５７２を有する。取付片５７１、５７２がそれぞれ貫通穴５７１ａ、５７２ａを有する。筐体５７は、この貫通穴５７１ａ、５７２ａと裏面１１ｂの雌ネジ穴を合わせて雄ネジ（固定ネジ）５７３ａ、５７３ｂによって器具本体１１と固定される。
【００３２】
筐体蓋５７５は、センサ駆動回路基板５８の貫通穴５８２ａ、５８２ｂを通り、筐体５７の雌ネジ（ナット）（不図示）と雄ネジ（固定ネジ）５７５ａ、５７５ｂで固定することで、筐体５７をカバーする（図８Ａ、８Ｃ参照）。この際、筐体蓋５７５の内側の周囲に設けられたパッキン(不図示)を筐体５７の開口縁部に当接させることで、筐体５７と筐体蓋５７５との防水性を確保する。筐体蓋５７５は、ケーブルブッシュ５７５ｃと、固定ネジ５７５ａ、５７５ｂが貫通する貫通穴（不図示）を有する。
【００３３】
図８Ｄに示す通り、筐体５７は、その底面に環状枠５７７を有する。筐体５７は、その底面に、環状枠５７７の内側に貫通口５７７ａ（図７Ｄ参照）を有し、後述するセンサ基板５１１とセンサ駆動回路基板５８とを結線する配線が、この貫通口５７７ａを通っている。貫通口５７７ａは、後述するセンサ基台５３の底面サイズよりも小さく、センサ基台５３が貫通穴５７７ａに入り込むことはない。筐体５７は、その底面に、後述する導光部材５５を取り付けるための雌ネジ穴（ナット）を有する。また、筐体５７は、その底面に、後述する光導入部５５１ａ、５５２ａが配置される貫通穴（不図示）を有する。また、環状枠５７７の（筐体５７の底面からの）立設根本の外周に防水性のＯリング５６が配置される（図８Ｄ参照）。
【００３４】
センサ駆動回路基板５８は、表示用ＬＥＤ素子５８１ａ、５８１ｂ、各種電子部品が実装される。センサ駆動回路基板５８は、センサ駆動制御、後述するセンサ動作切替制御などの各種制御機能を有する。
【００３５】
センサ基台５３は、センサ５１が実装されるセンサ基板５１１をセンサ５１の俯角（チルト）を所定角度に規制するように取り付ける取付構造を有する（図９参照）。本実施形態において、この取付構造は、センサ基板５１１を係合する複数の係合爪を有し、係合爪は、下爪５３１、上爪５３２、左側爪５３３ａ、右側爪（左側爪５３３ａの反対側にあり、不図示）を有し、これによって、センサ基板５１１を固定している。センサ基板５１１が斜めに固定され、人感センサの検知中心方向が俯角４５°に設定されている。また、センサ５１の先端ドーム部位５１ａは、集光用のフレネルレンズを構成している。また、センサ基台５３は、環状枠５７７の内周面と当接する凸条部５３６ａ、５３６ｂ（図９の裏面にも５３６と同様の突条部があるが、不図示）を有する。この凸条部により、センサ基台５３と環状枠５７７との当接面積を少なくして摺動（回動）をスムーズに行う。
【００３６】
図９に示す通り、センサ基台５３の両側面に左キー溝５３５ａ、右キー溝（不図示）がセンサ基台５３の上下方向に設けられている。この左右キー溝（５３５ａ）に、センサカバー５２の側面内部で先端部５２ａに向かって設けられるキー５２２ａ、５２２ｂ（図１０Ｃ参照）が噛み合うように配置される。センサカバー５２を回動させた場合に、キーとキー溝との噛み合いによって、センサ基台５３も同時に回動し、センサ基台５３に固定されたセンサ５１も回動する。
【００３７】
（センサカバー）
図１０Ａ〜１０Ｃに示す通り、センサカバー５２は、半球状の先端部５２ａと、先端部５２ａに連接される筒状の胴部５２ｂと、胴部５２ｂの径サイズよりも大きい径サイズの基部５２ｃを有する。また、センサカバー５２の内面に、胴部５２ｂから先端部５２ａに向かって内側中心方向に伸びるキー５２２ａ、５２２ｂが設けられている。本実施形態では、センサカバー５２は、ポリエチレン（ＰＥ）等の熱可塑性樹脂を用いて作製されている。
【００３８】
センサカバー５２の内面の先端部５２ａと胴部５２ｂの境界に粗面部５２７が設けられている（図１０Ｃ、図１０Ａ）。この粗面部５２７によって、センサ検知エリア前遠方側の検知感度を弱めることができ、前遠方検知の範囲を調整することができる。本実施形態において、粗面部５２７は、センサカバー５２の樹脂成型において粗面部５２７に相当する面を他面よりも粗面化させることで、センサカバー成形と同時に形成することができる。
【００３９】
センサカバー５２の先端部５２ａの外面に凸部５２１が設けられる。凸部５２１は、前正面視で先端部５２ａの左右側面から一対に延設される左右凸部５２１ａ、５２１ｂ（図１０Ａ参照）と、後正面視で先端部５２ａから延設される後方凸部５２１ｃ（図１０Ｂ参照）と、前正面視で先端部５２ａから延設される前方凸部５２１ｄ（図１０Ａ参照）を有する。前方凸部５２１ｄ、左右凸部５２１ａ、５２１ｂ、後方凸部５２１ｃの内、少なくとも１箇所を手で摘まむことで、センサカバー５２を確実に掴め、回動操作をスムーズに行える。本実施形態では、左右凸部形状は後方凸部形状よりも大きいが、これに制限されない。また、後方凸部５２１ｃは３つであるが、これに制限されない。また、前方凸部５２１ｄは、前正面の中央であってセンサ検知範囲と重ならない位置にあることで、センサ検知方向の位置決めの機能をも有する。
【００４０】
センサカバー５２の基部５２ｃは、胴部５２ｂとの段差面５２ｃｐを有する。段差面５２ｃｐは、センサカバー５２の回動角度範囲を規制するために前正面に設けられた規制凸部５２５と、導光部材５５に対する自由回動を規制するために後正面に設けられた波形状部位５２６とを有する。規制凸部５２５と波形状部位５２６のそれぞれは、後述する導光部材５５の対応部位と協同して上記各機能を実現する。
【００４１】
（導光部材）
図１１Ａ、１１Ｂに示す通り、導光部材５５（取付部材に相当する）は、中空筒状の本体５５ａと、本体５５ａの開口一方端から中空中心の径方向へ延びる環状縁５５ｂと、環状縁５５ｂが設けられた開口一方端と異なる開口他方端から外周に延設される一対の取付片を有する。一対の取付片は、貫通穴５５３ａを有する取付片５５３と、貫通穴５５４ａを有する取付片５５４を有する。本実施形態では、導光部材５５は、透明であるアクリル等の熱可塑性樹脂を用いて作製されている。
【００４２】
導光部材５５は、表示用ＬＥＤ素子の光を導入する光導入部５５１ａ、５５２ａと、光導入部５５１ａ、５５２ａから光導出部５５１ｃ、５５２ｃまでの光通路部５５１ｂ、５５２ｂと、センサユニット外部に光を導出する光導出部５５１ｃ、５５２ｃとを有する。本実施形態では、光導入部５５１ａ、５５２ａは、それぞれ筐体５７の底面と当接する取付片５５３、５５４の面から延設され、筐体底面貫通部を通じて、センサ駆動回路基板５８へ延びる。（図８Ｃ参照）センサ駆動回路基板５８は、表示用ＬＥＤ素子５８１ａ、５８１ｂが実装されている。光導入部５５１ａ、５５２ａは、表示用ＬＥＤ素子５８１ａ、５８１ｂと近接させて、それぞれ表示用ＬＥＤ素子５８１ａ、５８１ｂの光を導入する。また、光導出部５５１ｃ、５５２ｃの光導出面は、凹凸構造の拡散面を有し、これにより光の出射状況を識別し易い構造としている。
【００４３】
（回動機構）
センサ基台５３の下部が、環状枠５７７の内部に挿入配置され、センサカバー５２の基部５２ｃが、環状枠５７７の外周に挿入配置され、基部５２ｃの底面がＯリング５６に当接し、導光部材５５がセンサカバー５２の基部５２ｃの外周に挿入配置される。導光部材５５が筐体５７の底面に取り付けられる（図７Ｃ、７Ｄ参照）。本実施形態では、センサ基台５３の下部が環状枠５７７内に配置され、センサカバー５２のキー５２２ａ、５５２ｂとセンサ基台５３のキー溝５３５ａ（および不図示のキー溝）を噛み合わせた状態にして、センサ基台５３をセンサカバー５２で覆い、センサカバー５２の基部５２ｃの段差面５２ｃｐと、導光部材５５の環状縁５５ｂの内側面５５ｂｐとを向い合せにして配置する。センサカバー５２の底面でＯリング５６を押さえつけ、取付片５５３の貫通穴５５３ａ、取付片５５４の貫通穴５５４ａのそれぞれに、雌ネジ穴（不図示）を合わせて、雄ネジ５５８ａ、５５８ｂで固定し、導光部材５５を筐体５７に取り付ける。センサカバー５２がＯリング５６と当接することで、防水性を確保する。
【００４４】
センサ基台５３とセンサカバー５２は、環状枠５７７および導光部材５５と摺接可能（回動可能）に配置されている。また、環状枠５７７および導光部材５５によって、センサ基台５３およびセンサカバー５２が左右前後の横方向へ動くことを規制し、回動をスムーズに行える（図７Ｄ参照）。
【００４５】
環状縁５５ｂは、その内側面５５ｂｐに、センサカバー５２の規制凸部５２５に当接して回動範囲を規制する第１、２規制部５５５ａ、５５５ｂと、回動操作においてセンサカバー５２の波形状部位５２６の一部と噛みあい自由回動を規制するストッパ部５５６とを有する。本実施形態では、規制凸部５２５が、第１、２規制部５５５ａ、５５５ｂで挟まれた範囲（検知中心を基準にして±５５°）を動くことで回動範囲が規制される。そして、センサカバー５２を回動している際は、Ｏリング５６の弾性力を利用し、ストッパ部５５６が波形状部位５２６を乗り越えることができる。また、回動を停止してその角度位置を維持する際は、Ｏリング５６の弾性力を利用し、ストッパ部５５６が波形状部位５２６の一部に留まることで自由回動を規制する。
【００４６】
（センサ動作モード）
図７Ｂ、８Ｃに示す通り、第１切替スイッチ５９１は、防水カバー１１２内に配置、人感センサ（センサ５１）の動作モードを切り替えるためのスイッチである。第２切替スイッチ５９２は、防水カバー１１２内に配置され、センサ基板５１１上の照度センサ（不図示）の明るさ感度を切り替えるためのスイッチである。本実施形態では、センサ基板５１１に照度センサ（不図示）が実装され、センサカバー５２から入る光を検知する。人感センサもセンサ基板５１１に実装される。
【００４７】
第１、第２切替スイッチ５９１、５９２は、筐体５７の底面の貫通口（不図示）を通じてセンサ駆動回路基板５８上のスイッチ部品５９１ａ、５９２ａと機械的に接続されており、第１、第２切替スイッチ５９１、５９２の操作が伝わる。第１、第２切替スイッチ５９１、５９２は、防水構造を有してセンサユニット５に組み込まれる。第１、第２切替スイッチ５９１、５９２の押部が、筒状のシリコーンで構成されており、その中に機械的操作を伝えるための樹脂製の伝達部が配置され、スイッチ部品５９１ａ、５９２ａに操作を伝えて電気信号に変換される。
【００４８】
センサ駆動回路基板５８に実装される表示用ＬＥＤ素子５８１ｂは、第１切替スイッチ５９１をプッシュ操作して人感センサの動作モードを切り替えたことに連動して光色が変化する。動作モードは、例えば、長時間（例えば６０秒間）点灯後消灯するモード（表示用ＬＥＤ素子は緑色）、短時間（例えば２０秒間）点灯後消灯するモード（表示用ＬＥＤ素子は赤色）、人感センサ設定なしモード（表示用ＬＥＤ素子は消灯）である。表示用ＬＥＤ素子５８１ｂの光は、上述した導光部材５５を通じて外部へ表示させることができ、この光変化によって、動作モード（人感センサ動作切替モード）を簡単に確認できる。
【００４９】
センサ駆動回路基板５８に実装される表示用ＬＥＤ素子５８１ａは、第２切替スイッチ５９２をプッシュ操作して照度センサの動作モードを切り替えたことに連動して光色が変化する。動作モードは、例えば、暗め（例えば５ルクス以下で人感センサ待機）モード（表示用ＬＥＤ素子は緑色）、明るめ（例えば５０ルクス以下で人感センサ待機）モード（表示用ＬＥＤ素子は赤色）、照度センサ設定なしモード（表示用ＬＥＤ素子は消灯）である。表示用ＬＥＤ素子５８１ａの光は、上述した導光部材５５を通じて外部へ表示させることができ、この光変化によって、動作モード（照度感度切替モード）を簡単に確認できる。
【００５０】
上記各種動作モードを選択することで、人感センサまたは照度センサのいずれか一方、または、両方を使用して自動点灯をさせることもでき、両方を使用しないで、手動スイッチにより点灯・消灯をさせることもできる。
【００５１】
上記各種動作モードの切替制御等は、センサ駆動回路基板５８の制御部（不図示）で行う。センサ駆動回路基板５８は、後述する点灯回路基板２２と電気的に接続されており、動作モードの指令およびセンサ検知信号などを送信する。点灯回路基板２２の制御部（不図示）は、その指令、信号などを受信し、ＬＥＤ素子２１の点灯制御を行う。
【００５２】
（ＬＥＤ照明ユニットの基本構成）
ＬＥＤ照明ユニットの構成について、図３Ａ、３Ｂを参照しながら説明する。本実施形態のＬＥＤ照明ユニット２は、ＬＥＤ素子２１と、ＬＥＤ素子２１が実装される第１面２２ａを有する点灯回路基板２２と、第１面２２ａの裏面である第２面２２ｂ側に配置される絶縁カバー２３と、絶縁カバー２３を覆い、ＬＥＤ素子２１の発する熱を放熱する放熱カバー２４と、第１面２２ａ側を覆い、放熱カバー２３に取り付けられるＬＥＤカバー２５とを備える。ＬＥＤ照明ユニット２は、側断面視で、放熱カバー２４、絶縁カバー２３、点灯回路基板２２、ＬＥＤカバー２５の順に配置されている。
【００５３】
（点灯回路基板）
図３Ｃに示すように、円形の点灯回路基板２２の第１面２２ａの中央部に回路部品（群）Ｄ１が実装され、その周囲にＬＥＤ素子２１が実装される。回路部品Ｄ１は、後述する回路部品Ｄ２よりも背の低い回路部品である。ＬＥＤ素子２１が実装される第１面２２ａに反射部が設けられる。本実施形態では、第１面２２ａに反射塗料を塗布して構成した反射層が形成されている。
【００５４】
図３Ｄに示すように、点灯回路基板２２の第２面２２ｂの中央部に回路部品（群）Ｄ２が実装される。回路部品（群）Ｄ２は、背の高い回路部品であり、前述の回路部品（群）Ｄ１よりも背の高い回路部品である。絶縁カバー２３の凹状のくぼみ部２３１に回路部品（群）Ｄ２が配置される。第２面２２ｂの回路部品（群）Ｄ２の周囲に（絶縁カバー２３の周縁より外側に）、放熱カバー２４の放熱部位２４５が当接される（図３Ｂ参照）。
【００５５】
（絶縁カバー）
円形の絶縁カバー２３は、中央部に凹状のくぼみ部２３１を有する（図４Ａ参照）。くぼみ部２３１は、その凹状の一部を点灯回路基板２２側へとへこませたへこみ部位２３２を有する。へこみ部位２３２は、点灯回路基板２２に対し傾斜する傾斜面２３２ａを有する。へこみ部位２３２の傾斜面２３２ａにネジ穴２３２ｂが形成され、へこみ部位２３２に防水性の速結端子２６が固定ネジ２６５で固定される（図３Ｂ参照）。図４Ｃに示すように、傾斜面２３２ａの延長線Ｌ１と点灯回路基板２２の延長ラインＬ２とで形成させる傾斜角αは１０°であるが、これに制限されず、例えば５°〜３０°の範囲に設定できる。
【００５６】
速結端子２６は、外部電源と接続される配線用の挿入部位２６１ａ、２６１ｂがくぼみ部２３１の中央側を向き、点灯回路基板２２と接続される配線用の配線部位２６２ａ、２６２ｂがその反対（中央とは反対の外方向）を向いている。挿入部位２６１ａ、２６１ｂおよび配線部位２６２ａ、２６２ｂは、へこみ部位２３２の両側壁面を向かずに開放空間を向いて露出していることで、配線の結線作業を簡単に行える。挿入部位２６１ａ、２６１ｂが、傾斜面２３２ａに対応して傾斜しており、そのため、配線の結線作業をより簡単に行える（図３Ａ，図４Ｄ参照）。
【００５７】
くぼみ部２３１は、配線の挿入を案内する案内部２３５ａ、２３５ｂを有する。２箇所の挿入部位２６１ａ、２６１ｂに対応して、２箇所の案内部２３５ａ、２３５ｂが形成される。本実施形態において、案内部２３５ａ、２３５ｂは、挿入部位２６１ａ、２６１ｂへ向かって幅および深さが漸増するへこみ形状であり、視認性も良く、作業スペースを確保できるため、配線の結線作業をより確実に行える（図４Ｄ参照）。
【００５８】
絶縁カバー２３に放熱カバー２４を取り付けた際に、放熱カバー２４の開口部位２４４の位置に、くぼみ部２３１の露出部２３４が位置する。この露出部２３４に、回路基板２２への配線を導入するケーブルブッシュ２７（防水部材に相当する）用の開口部２３１ａを有する。くぼみ部２３１に、絶縁カバー２３と放熱カバー２４とを固定ネジ２４４ａ〜２４４ｃ（第１固定手段に相当する）で固定するためのネジ穴２３６ａ〜２３６ｃが設けられる（図４Ａ参照）。くぼみ部２３１の凹状内部に、点灯回路基板２２と絶縁カバー２３とを固定ネジ２２６（第２固定手段に相当する、図３Ｂ参照）で固定するためのネジ穴２３７ａ〜２３７ｃが設けられている（図４Ｂ参照）。点灯回路基板２２には固定ネジ２２６を貫通する穴２２ｈが形成されている。
【００５９】
くぼみ部２３１は、放熱カバー２４の開口部位２４４と露出部２３４との境界に位置する凸状ライン２３１ｂを有する（図４Ａ参照）。放熱カバー２４の厚みと略同じ高さの凸状ライン２３１ｂを設けていることで組み立て時の位置決めおよび防水性を向上できる。
【００６０】
絶縁カバー２３の周縁２３３に、防水性の発泡シリコーン製の第１のＯリング２９が配置される凹溝２３３ａが形成される（図３Ｂ、図４Ａ参照）。
【００６１】
（放熱カバー）
円形の放熱カバー２４は、絶縁カバー２３のくぼみ部２３１に対応した形状のくぼみ部位２４１を有する（図４Ｅ参照）。くぼみ部位２４１は、前述の露出部２３４に対応した位置に開口部位２４４と、前述の傾斜面２３２ａに当接し速結端子２６の底部と当接する中間部位２４２を有する。中間部位２４２は、速結端子２６と絶縁カバー２３とを固定する固定ネジが貫通する貫通穴２４２ａを有する。放熱カバー２４は、絶縁カバー２３のネジ穴２３６ａ〜２３６ｃに対応する位置に貫通穴２４６ａ〜２４６ｃを有する。貫通穴２４６ａ〜２４６ｃには、前述の固定ネジ２４４ａ〜２４４ｃが挿通される。
【００６２】
放熱カバー２４は、前述の凹溝２３３ａに対応した位置で第１のＯリング２９と当接する止水部２４３を有し、止水部２４３は、側断面視で略直角状である。放熱カバー２４は、止水部２４３より延びる放熱部位２４５を有する。放熱カバー２４は、ＬＥＤカバー２５の凹状の溝部２５２に発泡性シリコーンの第２のＯリング２８を介在させて配置されるフランジ２４７を最外縁に有する。
【００６３】
放熱部位２４５は、ＬＥＤ素子２１が実装される位置の第１面２２ａの裏面（第２面２２ｂ）に当接する（図４Ｅにおいて、放熱部位２４５の裏側が第２面２２ｂと当接する）。
【００６４】
（ＬＥＤカバー）
図５Ｃに示すように、ＬＥＤカバー２５は、カバー外縁からカバー中心への方向において、ＬＥＤ素子２１の光軸ＬＸと１／２ビーム角との領域におけるカバー外縁側に位置する第１の領域Ｅ１とカバー中心側に位置する第２の領域Ｅ２とでカバーの表面形状が異なる。このＬＥＤカバー２５により、ＬＥＤ素子２１が外部から光の点のように視認されることなく、ＬＥＤカバー２５から均一な光放射を行える。
【００６５】
ＬＥＤカバー２５における点灯回路基板２２からの高さの変化幅は、第１の領域Ｅ１が、第２の領域Ｅ２よりも大きい。
【００６６】
また、図５Ｂおよび図５Ｃに示すように、ＬＥＤカバー２５は、中央に配置される第１曲面２５７ａと、当該第１曲面２５７ａの外周に連続して環状に配置される第２曲面２５７ｂと、当該第２曲面２５７ｂの外周に連続して環状に配置される中空筒部２５７ｃとを有する。第１曲面２５７ａの曲率半径（ｒ１）は、第２曲面２５７ｂの曲率半径（ｒ２）よりも大きい。
【００６７】
ＬＥＤカバー２５は、不透明の乳白色を生じさせる光拡散剤を配合した熱可塑性樹脂で構成される。本実施形態では、熱可塑性樹脂がポリカーボネート、光拡散剤がポリカーボネートと屈折率の異なるアクリル系拡散剤等である。また、ＬＥＤカバー２５は、その内面および外面にシボ加工によって形成された凹凸形状を有し、粗面化されている。これらの光拡散剤および粗面化により、ＬＥＤカバー２５から出る光放射がより均一化される。なお、別実施形態として、光放射の均一化よりも明るさを求める場合に、ＬＥＤカバー２５に拡散剤等を配合せずに透明性の高い熱可塑性樹脂（例えばポリカーボネート）で構成し、透光性カバー１２の拡散機能を利用して光放射の均一化を行う構成でもよい。
【００６８】
（係合手段と弾性部材による一体化構造）
図５Ａに示すように、ＬＥＤカバー２５は、放熱カバー２４のフランジ２４７を第２のＯリング２８（弾性部材に相当する）を介在させて収納する凹状の溝部２５２を外周に有する。第２のＯリング２８を介在させることで、ＬＥＤカバー２５と放熱カバー２４とを堅固に取り付けでき、防水性も確保できる。
【００６９】
溝部２５２は、外側の外壁２５３と内壁２５４を有する。外壁２５３には、溝内部へ突出する爪形状であって、フランジ２４７と係合する係合爪２５５ａ〜２５５ｃ（合計５つであるが２つは不図示）を有する係合領域を５カ所有する。５カ所の係合領域の外壁２５３ａ〜２５３ｅの厚みは、他の外壁の厚みより薄い。係合爪２５５ａ〜２５５ｃが溝２５２内部へ傾斜する傾斜面ｆ（ｆ１、ｆ２、ｆ３・・）とフランジ２４７と係合する係合面ｇを有する。図５Ｄに係合爪の側断面図を示す。
【００７０】
（係合方法）
（１）絶縁カバー２３に点灯回路基板２２と取り付ける。次いで、（２）絶縁カバー２３に第１のＯリング２９を押圧しながら放熱カバー２４を取り付ける。なお、（１）と（２）の順序は逆でもよい。次いで、（３）ＬＥＤカバー２５の溝部２５２に第２のＯリング２８を配置する。（４）放熱カバー２４のフランジ２４７を第２のＯリング２８を押圧しながら、溝部２５２内部に進入させ、各係合爪（２５５ａ〜２５５ｃおよび不図示の２カ所）の底面ｇにフランジ２４７を配置させる（図５Ｄ参照）。次いで（５）速結端子２６を取り付ける。
【００７１】
上述（４）において、フランジ２４７が各係合爪２５５ａ〜２５５ｃの傾斜面ｆと当接しながら進入する。係合爪２５５ａ〜２５５ｃがフランジの端部と傾斜面ｆで当接されるため、係合爪２５５ａ〜２５５ｃが外側に広がりやすくなり、抵抗力が軽減するためフランジ２４７が溝２５２内へ進入しやすくなる。
【００７２】
また、図５Ａに示すように、係合領域の外壁２５３ａ〜２５３ｅは外面側が肉薄である。係合領域の外壁２５３ａ〜２５３ｅおよび係合爪２５５ａ〜２５５ｃに対向する位置の内壁２５４ａ〜２５４ｅは、切欠き形状である。内壁２５４ａ〜２５４ｅに掛かる力を逃がすことで、係合爪２５５ａ〜２５５ｃに掛かる力を軽減でき、フランジ２４７と係合爪２５５ａ〜２５５ｃとの係合を好適に行える。
【００７３】
（配線）
ケーブルブッシュ２７に挿通される配線としては、速結端子２６からの配線、センサ回路基板からの配線などが挙げられる。
【００７４】
（別実施形態）
上記実施形態において、センサ基台とセンサカバーとの連動は、上述のキー構造に制限されず、他の連動機構でもよい。
【００７５】
また、上記実施形態において、センサカバーの取付部材として導光部材を用いたが、これに制限されず、別体の取付部材を用いることができる。
【００７６】
また、上記実施形態において、防水カバーの形状は上記形状に制限されず、他の形状でもよい。また、防水カバーが器具本体から延設される構成において、一体成形されるものに限定されず、器具本体と別部材で構成し、器具本体に取付ける構成でもよい。
【００７７】
また、上記実施形態において、人感センサと照度センサとを有する構成であったが、照度センサを有しない構成でもよい。
【００７８】
また、上記透光性カバーが正面視で円形であったが、これに限定されず、図６Ａに示すように、矩形の透光性カバー６１でもよい。また、図６Ｂに示すように、透光性カバー（正面視で円形でも矩形でもよい）の全面に配置されて防護機能を有する十字カバー６２を備えていてもよい。
【００７９】
また、上記発明の一実施形態として、センサ５１は、俯角（チルト）の角度範囲を可変とする構成であってもよい。例えば、俯角４５°を基準に±１５°の範囲で可変にする。
【符号の説明】
【００８０】
１      ポーチ灯
５      センサユニット
５１    センサ
５２    センサカバー
５２１ａ、５２１ｂ  左右凸部
５２１ｃ  後方凸部
１１    器具本体
１２    透光性カバー
【図１】
0006681643.tif 000002
【図２Ａ】
0006681643.tif 000003
【図２Ｂ】
0006681643.tif 000004
【図２Ｃ】
0006681643.tif 000005
【図２Ｄ】
0006681643.tif 000006
【図２Ｅ】
0006681643.tif 000007
【図３Ａ】
0006681643.tif 000008
【図３Ｂ】
0006681643.tif 000009
【図３Ｃ】
0006681643.tif 000010
【図３Ｄ】
0006681643.tif 000011
【図４Ａ】
0006681643.tif 000012
【図４Ｂ】
0006681643.tif 000013
【図４Ｃ】
0006681643.tif 000014
【図４Ｄ】
0006681643.tif 000015
【図４Ｅ】
0006681643.tif 000016
【図５Ａ】
0006681643.tif 000017
【図５Ｂ】
0006681643.tif 000018
【図５Ｃ】
0006681643.tif 000019
【図５Ｄ】
0006681643.tif 000020
【図６Ａ】
0006681643.tif 000021
【図６Ｂ】
0006681643.tif 000022
【図７Ａ】
0006681643.tif 000023
【図７Ｂ】
0006681643.tif 000024
【図７Ｃ】
0006681643.tif 000025
【図７Ｄ】
0006681643.tif 000026
【図８Ａ】
0006681643.tif 000027
【図８Ｂ】
0006681643.tif 000028
【図８Ｃ】
0006681643.tif 000029
【図８Ｄ】
0006681643.tif 000030
【図９】
0006681643.tif 000031
【図１０Ａ】
0006681643.tif 000032
【図１０Ｂ】
0006681643.tif 000033
【図１０Ｃ】
0006681643.tif 000034
【図１１Ａ】
0006681643.tif 000035
【図１１Ｂ】
0006681643.tif 000036